(57)【要約】      （修正有）【課題】現在市販されている電気洗濯乾燥機はニクロム線温風式のため電気消費が多き過ぎ、電気消費の節約と洗濯物乾燥時間の短縮、及び洗濯排水の再利用を実現することを目的とする。【解決手段】全自動最速電気洗濯乾燥１は、レールモータ６と真空装置により、洗濯槽３とスクリュー装置４を回すモーター動力をレールモータ６の省エネルギーモーター動力とすることによる電気消費の節約と、真空装置応用使用によって瞬間に洗濯物から水分を取り除く方法とすることによる洗濯物乾燥時間の短縮を実現する。また、再処理貯水タンク１４により、洗濯排水の再利用水の洗濯方法よる水資源の保護に対する効果を発揮する。【選択図】図１
2012011211.tif 000002
【特許請求の範囲】
【請求項１】
本先知的所有財産の先発明は、新型のレールモーター内蔵の真空装置の瞬間に水を液体又は固形から瞬間気化させる技術を先応用発明した全自動最速洗濯乾燥装置。
2008年5月17日15時9分53秒チェリッシュのCDを聞きながら書く
【請求項２】
本先知的所有財産の先発明は、真空装置による瞬間の水気化処理の洗濯乾燥機のため、電動仕切り弁を、洗濯槽の排水装置に電動仕切り弁装置を設けた全自動最速洗濯乾燥機。
2008年5月17日15時16分25秒確かに初夏模様だが寒い墫野カンキチ
【請求項３】
本先知的所有財産の先発明は、真空装置による瞬間の水気化処理の洗濯乾燥機のため、気圧漏れ防止ゴム洗濯槽側と洗濯機蓋装置側の気圧漏れ防止ゴム装置を取り付ける事で、洗濯槽の水処理を最速で真空装置処理出来る全自動最速洗濯乾燥機。
2008年5月17日15時27分32秒太陽の日射時間が少ない。
【請求項４】
本先知的所有財産の先発明は、真空装置による瞬間の水気化処理の洗濯乾燥機であるが、洗濯後の排水を、再び洗濯再利用水として、真空装置の瞬間洗濯排水の気化処理を行って貯蓄水中に真空装置処理の気化水を水中に戻す事で、水の再処理化を図った全自動最速洗濯乾燥機。
2008年5月17日15時35分45秒この寒さは、大雪山連峰の雪が、消えないため、すぐに水蒸気雲が、流れて来るのが理由なのだが、国が貧乏な今では悲しい。  
【請求項５】
本先知的所有財産の先発明は、真空装置による瞬間の水気化処理の洗濯乾燥機であるが、世界で、初めての電気中から電気抵抗を取り除く装置を採用した世界で一番電気消費の少ないシステムを使用した全自動最速洗濯乾燥機。   
2008年5月17日15時46分11秒未来は、絶対に大雪山系の冷たい雲を太平洋に二連結以上モーターで、吹き飛ばして見せる。必ず。             
【請求項６】
本先知的所有財産の先発明は、真空装置による瞬間の水気化処理の洗濯乾燥機であるが、洗濯槽の揺れ防止の為に、洗濯槽の一番上の部分に電磁石反発装置と、洗濯機本体の一番上に電磁石反発装置を取り付け二つの電磁石の反発作用によって洗濯槽の回転をスムーズムにする事によって、レールモーター電気消費を減らす対策を講じた全自動最速洗濯乾燥機。
【請求項７】
本先知的所有財産の先発明は、真空装置による瞬間の水気化処理の洗濯乾燥機であるが、洗濯機に使用されるモーターは、短いコイル配線を、複数の圧電素子磁石に短いコイルを一つ一つ巻いた装置を、丸い円周上に奇麗に配列したコイルを、二段重ねしたレールモーターは、一つのコイル巻のコイルの長さが、非常に短いため電気消費が少ない理由のレールモーター装置を使用した全自動最速洗濯乾燥機。
2008年5月17日PM16時17分47秒5月23日は、職業安定ハローワーク
【請求項８】
本先知的所有財産の先発明は、真空装置による瞬間の水気化処理の洗濯乾燥機であるが、洗濯機本体に備えられている第二洗濯排水再処理水槽の、貯水水をモーターでくみ上げるばかりか、洗濯槽に再処理水を戻す場合、水の放水にスピードを付けるため、スクリュー水回転構造の水送り官を備えた全自動最速洗濯乾燥機。
2008年5月17日PM16時39分20秒風穏やかでも、雨が欲しい。
【請求項９】
本先知的所有財産の先発明は、真空装置による瞬間の水気化処理の洗濯乾燥機であるが、第一排水処理タンクに溜まった洗剤ゴミを手動動作で、取り除ける事が出来る全自動最速洗濯乾燥機。
2008年5月17日PM16時51分30秒洗濯もの橋竿錆びて駄目になる。
【請求項１０】
本先知的所有財産の先発明は、真空装置による瞬間の水気化処理の洗濯乾燥機であるが、先知的所有財産の機械式発電機を二台使用して、一台の電気エネルギーをもう一台の機械式発電機のダイナモを回転作動出来る振り子装置の電磁石反発を、強めて行く事の繰り返しで、機械式発電機の二台の相互発電が成立するダイナモ機械式発電機を積載した全自動最速洗濯乾燥機。
【発明の詳細な説明】
【技術分野】
【０００１】
本先知的所有財産の先発明は、水資源の大切差を踏まえ二酸化炭素排出に配慮した一般家庭の洗濯排水の水再処理再利用が出来る全自動最速電気洗濯機。
2008年5月17日PM17時15分58秒半分のリンゴ眺め水道と洗濯機乾燥機。
【背景技術】
【０００２】
従来の家庭用の電気洗濯乾燥機は、電熱線使用の温風乾燥機がある。(真空装置機能説明例えば特許文献1参照。)。
【０００３】
そして従来の家庭用の電気洗濯機は、大型の長いコイルを巻いたモーターで有り、電気消費が多い電気洗濯機がある。(例えば電気消費を少なくする装置技術説明特許文献2参照。
)。
【０００４】
更に従来の家庭用の電気洗濯乾燥機には、モニターパネルと丸型ボタンと四角ボタンなどを、多く使用した電気洗濯機又は乾燥機がほとんどで有る。
【０００５】
2008年5月17日PM18時6分38秒二行目から再び書く図面修正と残り半分良く加味具合
以下図1と図2により従来の電気洗濯乾燥機について図を持って説明する。図1に置いて(3)は、洗濯槽であるが、本来の市販されている洗濯機は、穴空きステンレス構造であり、横のふらつきも有る。
また、(4)スクリュウ装置が、付いたタイプは、古いタイプに成りつつある。
尚、(6)モーター取り付け位置は、洗濯槽の下の位置は現在も同じである。(電気消費の少ないモーター説明レールモーター説明は特許文献3参照。)。
図2に於いては、(9)排水官そして(8)洗濯槽が有り、(15)洗濯層蓋が取り付いてるタイプも従来通りである。
図3の図解説明に於いて(9)排水官そして、(19)モニターパネルの(20,21,22,)デザインが、異なるだけで現在使用されている同じ説明ぱねるボタン機能に近い。
図4の図解説明に於いて(16)洗濯機水道電動仕切り弁と(17)スクリュー官及び(18)スクリュー官回転レールモーターも付いていないただの水道ゴムホースだけの装置が一般である。 
図5の図解説明に於いて従来洗濯機の説明は、(9)排水官と(24)排水取り入れ官と少し洗濯機の機能が異なる(31)水中ポンプ以外の番号は、全て新しい全自動最速電気洗濯乾燥機の部分説明になっている。
(コメント)
2008年5月17日PM18時46分24秒現在の乾燥機一回だけではまだ湿り気がある電気量
【先行技術文献】
【特許文献】
【０００６】
【特許文献１】特開2003ー328925号広報
【０００７】
【特許文献２】特開2004ー304992号広報
【０００８】
【特許文献３】特開2006ー254697号広報(コメント)2008年5月17日PM19時3分3秒横の筋雲気温はそれほど上がらない風も無し墫野
【発明の概要】
【発明が解決しようとする課題】
【０００９】
以上述べた従来の全自動電気洗濯乾燥機は、水の再利用として、風呂の余り湯だけでしか水の再利用方法は、取られておらず電気消費を少なくする電気中から電気抵抗を取り除く装置などは、一切取り付けられておらず、電気消費の少ないレールモーターは、一切取り付けられていない、そればかりか真空装置使用の乾燥機でなく、電熱温風のため電気消費が、多き過ぎて家庭の電気代が、多くなるばかりであった。
(コメント)
2008年5月17日PM19時22分33秒トイレの電球までが切れる美馬牛自宅墫野ニャン 
【００１０】
本先知的所有財産の先発明は、このような従来の構成が有していた問題を解決しようとするものであり、省エネルギー消費の電磁石反発連続電磁石磁力切り替え連続のレールモーターの全使用と電熱風乾燥システムの電気消費の多い洗濯物乾燥方法を止めて真空装置瞬間真空水取り除き方法による電気消費が少なく乾燥時間が短い真空装置乾燥システムを取り入れ、電気消費を更に少なく出来る電気中から電気抵抗を取り除く装置の活用最後に水の大切差を再度認識するために、風呂の残り湯のバケツ汲み再利用だけでなくここでも、真空装置の水の瞬間気化技術を再利用して、洗濯排水乾燥物だけ残して、洗濯排水の再利用と二酸化炭素排出を少なくする事を実現することを目的とするものである。
【００１１】
最後に特開2003ー328925号広報に書かれている機械式発電機及び特開2006ー254697号広報
に書かれている二連振り子機械式発電機これらの無害無給油の連続ダイナモ回転作動の連続発電機を、実際に搭載したならば家庭に引かれている電気を一切使用せずダイナモ連続発電によって洗濯乾燥機が、作動していない時間は、発電機としても使用する事を目的とするものである。  
(コメント)
2008年5月17日PM20時26分58秒松田聖子CDを聞きながら最後のラストスパート                                                             
【課題を解決するための手段】
【００１２】
そして、本知的所有財産の先発明は上記目的を達成するために、全自動最速電気洗濯乾燥機の乾燥方法は、電気消費の多いニクロム電熱線温風の使用は、止めて真空装置による瞬間に洗濯物のから水分を取り除く方法を新たな全自動最速洗濯物乾燥技術として、真空装置使用を行う事によって、電気消費の節約と洗濯物乾燥時間の短縮が、現実のものとなる。
【００１３】
そして、全自動最速電気洗濯乾燥機の水の使用量に対しての解決手段は、風呂の余り水で足りないだけでなく、風呂の余り水がない場合でも洗濯排水を、上記装置の真空装置を再び使用して、洗濯後の洗濯排水は、第一排水処理タンクに一度溜められ、電動仕切り弁で密封された後、真空装置で、第一排水処理タンクの空気全てを抜いて第一タンク内の空気をゼロにした瞬間第一排水処理タンクに貯蔵された水は、気化して、第二タンクの水中に第一タンクの気化物質の気化酸素と気化水素の融合体を水中に戻す事で、第一タンクの気化酸素と気化水素の融合物質は、第二タンクの水中で、水に戻る事実によって本知的所有財産の全自動最速洗濯乾燥機の洗濯排水の再利用水の洗濯方法によって、水資源の保護と二酸化炭素排出規制に対して効果を発揮する。
【００１４】
更に、全自動最速洗濯乾燥機は、更なる省電気エネルギー消費技術として、特開2006ー254697号広報のレールモーター図22参照そして、図23参照そして図24参照。これら先発明事実は、北海道庁広報広聴課の図22を参照していただける事によって先発明事実は明白である。
上記先発明事実に基ずいて特許提出したレールモーターは、おそらく、現在に於いて世界最小の電気エネルギー消費のモーターで有る事も事実のようで有り、尚更にレールモーターの電気消費を更に少なくするために、特開2004ー304992号広報の電気中の電気抵抗を取り除く技術として、圧電素子磁気電気4分割方法技術を使用する事によって、世界で一番電気消費の少ないモーター使用によって、二酸化炭素排出を押さえ更にモーターが、4センチメートルばかりの薄いモーターのため、空気抵抗が少ない分音も他のモーターより静かになり、温度上昇も少ないこの分だけでも、電気消費が他のモーター能力より優れているため、
更に電気消費の少ない効果を発揮する。
【００１５】
また、第4の課題解決による作用は、本先知的所有財産の先発明の全自動最速電気洗濯乾燥機から排出される洗濯水の再利用は、上記説明の通りであり、問題は洗濯排水の水を取り除いた後の使用済みの洗濯石鹸粉は、下水道に流さず人力で、ろ過袋によって取り出せる構造を有してるため、環境にも配慮した全自動最速電気洗濯乾燥機である。
【００１６】
また、第5の課題解決による作用は、洗濯時間の短縮への挑戦そのため短い時間で洗濯物をいかに奇麗に洗濯するのか説明すると、本先知的所有財産の洗濯機の洗濯回転中に第1排水処理タンクの洗濯水を水中ポンプ(単独水中ポンプ又は図1の(6)のレールモーター空からのミッション歯車作動の水中ポンプ)これらの水中ポンプを使用して、スクリュー官に洗濯水を通す事によって、洗濯水は更にスピードを増して洗濯物に図4の(16)のスクリュー回転レールモーターによって、更なる洗濯物の早い洗濯方法技術としの効果を発揮する。
【００１７】
また第6の課題解決による作用は、特開2003ー328925号広報の水発電機及び機械式発電機更に特開2006ー254697号広報の全レールモーター制御無害無給油発電機と二連振り子機械式発電機の、無害無給油連続ダイナモ作動発電機それぞれの発電機械一つを、全自動最速電気洗濯乾燥機に積載するだけで、二酸化炭素排出制御効果 都市環境保護、自然環境保護などの効果を最大限に発揮する。
【発明の効果】
【００１８】
上述したように本先知的財産の先発明の全自動最速電気洗濯乾燥機は、洗濯乾燥機の電気代節約と水の節約と洗濯時間の大幅な短縮した全自動最速電気洗濯乾燥機を提供出来る。
【００１９】
また、年金だけでは生活出来ない低所得年金生活者にうってつけの財産として、機械式発電機と二連振り子機械式発電機などのダイナモ連続回転作動発電機の連続作動発電によって更なる二酸化炭素排出制御効果と都市環境保護と自然環境保護を更に再重視する効果を発揮する事が出来る。
【図面の簡単な説明】
【００２０】
【図１】全自動最速電気洗濯乾燥機の洗濯槽の説明全体図
【図２】全自動最速電気洗濯乾燥機の洗濯槽全体の正面図
【図３】全自動最速電気洗濯乾燥機のモニターパネルの全体正面図
【図４】スクリュー官及びスクリュー水打たせ羽によるダイナモ発電の全体説明図
【図５】全自動最速電気洗濯乾燥機の洗濯排水の再処理装置の全体説明図
【図６】北海道庁広報公聴第3ー37号2001年5月10日先知的所有財産の先発明郵便物受理書
【図７】2001年4月30日美馬牛市街地で墫野和夫の先知的所有財産の先発明考案原本の写し
【図８】2001年4月30日美馬牛市街地で墫野和夫の先知的省有財産の先発明考案原本の写し
【図９】北海道庁広報公聴第3ー54号2001年5月22日先知的所有財産の先発明郵便物受理書
【図１０】2001年5月18日岩内トンネルで墫野和夫の先知的所有財産の先発明考案原本の写し
【図１１】2001年5月21日島野郵便局から北海道庁北海道知事宛てに先発明原本の写しを送った時の郵便封筒日付写し
【図１２】北海道庁広報公聴第3ー187号2001年8月27日先知的所有財産の先発明郵便物受理書
【図１３】2001年7月22日八雲町で先発明のレールモーター追加説明文章の先知的所有財産の先発明郵便物受理書
【図１４】2001年7月22日八雲町で先発明のレールモーター追加説明文章の先知的所有財産の先発明郵便物受理書
【図１５】北海道庁広報公聴第3ー193号2002年10月9日先知的所有財産の先発明郵便物受理書
【図１６】2002年9月19日栃木県真岡市下高間木で先発明した圧電素子磁気電気4分割装置の取り扱い対象電気関係の項目書き出し掲示さらに残電気抵抗の取り扱いとリサイクル電気の処理方法を書いた説明図原本の写し。
【図１７】平成15年1月6日岩手県胡四王簡易郵便局から墫野和夫の先知的所有財産の確認の為に東京都日本消費者連合殿へ送ったゆうパック領収書
【図１８】平成15年1月6日岩手県胡四王簡易郵便局から墫野和夫の先知的所有財産の確認の為に東京都NHKふれあいセンーター殿へ送ったゆうパック領収書
【図１９】平成15年1月6日岩手県胡四王簡易郵便局から墫野和夫の先知的所有財為にアムネスティインターナショナル支部殿へ先知的所有財産を送ったゆうパック領収書
【図２０】平成15年1月6日岩手県胡四王簡易郵便局から墫野和夫の先知的所有財産の確認の為に東京都日本共産党委員会志位和夫殿へ先知的所有財産を送ったゆうパック領収書
【図２１】平成15年3月末日岩手県胡四王簡易郵便局から墫野和夫の先知的所有財産の確認の為に東京都社民党本部土井高子殿へ先知的所有財産を送ったゆうパック領収書
【図２２】平成16年1月4日旭川市中央郵便局から墫野和夫の先知的所有財産の確認の為に東京都民主党本部民主党党首殿へ先知的所有財産を送ったゆうパック領収書(コメント)2008年5月17日PM22時18分23秒五輪真弓CDで更にラストスパートかける。
【発明を実施するための形態】
【００２１】
以下本先知的所有財産先発明の試作実施の形態を図1から図5に基ずいて説明する。
【００２２】
図1に於いて(3)は洗濯槽で有り(8)洗濯水流変化打たせプラスチック柵装置によって、洗濯機の一方的回転水流に変化を付ける事の出来る装置であり、(3)洗濯槽と洗濯機の間は、電磁石が、それぞれ取り付けられており、互いの電磁石反発の電磁石効果によって、振れの少ない洗濯層回転を、得る事が出来て、この場合(3)洗濯槽を回す動力と(4)スクリュー装置を回すモーター動力は、(6)レールモーター省エネルギーモーター動力になる。
更に(2)気圧漏れ防止ゴムと(7)洗濯槽排水電動仕切り弁からの洗濯排水は、(14)再処理一時貯水タンクへ洗濯排水は、上から下へ落下の法則で流れる。(9)排水官は、洗濯内の再処理水の匂いが、した場合洗濯槽全ての洗浄回転後、全ての電動仕切り弁を開いて(9)排水管を通じて洗濯機内の洗浄をするための(9)排水管装置である。
(コメント)
2008年5月17日PM23時18分43秒5月17日今日の日付にまにわない知事だけでも確認
【００２３】
図2において、(1)全自動最速洗濯乾燥機図1の続きとしてのすすぎ水は、(11)水道水電動仕切り弁官を通ってすすぎ水が濯がれる。
この場合(14)再処理貯水タンクの水が濯がれる構造なので、図の4と図の5を通じて説明する。   
【００２４】
図4並びに図5の説明は、図1の洗濯の有り方の説明の続きを始める。
図1の(1)全自動最速洗濯乾燥機の(3)洗濯槽回転と(4)スクリュー回転の洗濯水循環の説明を始める。
洗濯水は、あらかじめ(26)第一排水処理タンクまで満水として、(3)洗濯槽内が、水位センサーで満水を示すと(6)レールモーターが作動すると同時に同軸の(4)スクリュー装置を同じモーターで、同時作動させる。
これと、同時に(35)第一排水処理タンクの水中ポンプを作動させて図4の(17)のスクリュー官に洗濯水を通す事で、洗濯水は、スピードを増す更に(37)スクリュー水打たせ羽に洗濯スクリュー水は当たり、(37)スクリュー水打たせ羽に取り付けてある(38)ダイナモ装置は、回転作動して洗濯機の補助ダイナモ発電電気として使用される。
更にスクリュー回転のまま流れるスクリュー洗濯水は、(17)スクリュー官を通じて(18)スクリュー回転レールモーターによってスクリュー水が、(18)レールモーター回転しながら濯がれる。 
この洗濯方法で、洗濯された洗濯物のすすぎ方法について、(0027)で、すすぎ方法の説明をする。
【００２５】
図1に再びもどり、すすぎ方法説明に移る。
(3)洗濯槽の洗濯排水は、(7)洗濯排水電動仕切り弁装置の解除によって仕切り弁が開き洗濯槽の水は、図4の(26)第一排水処理タンクに落下の法則で、洗濯水は流れ込み(28)排水処理タンク水位センサーの反応と同時に(23)真空装置が作動して(26)第一排水処理タンクの洗濯水を、(40)排水処理電動仕切り弁を閉じて(36)スクリュー洗濯水制御電動仕切り弁装置を閉じて更に(25)第二処理タンク給水電動仕切り弁装置を閉じて(26)第一排水処理タンクの空気全てを抜いて真空にする事で、中の洗濯水は瞬間気化して、(25)の第二処理タンク給水電動仕切り弁装置を再び開いて、(26)第一排水処理タンクの洗濯排水は、瞬間気化した状態つまり、気化酸素と気化水素の融合体のまま、(32)排水再処理水の中に酸素と水素の気化融合物質が注がれる事で、(26)再処理貯水タンクは、洗濯排水から石鹸の入ってない再処理水が(26)再処理貯水タンクに再処理水が増え続ける。
この場合(30)第二処理タンク水位センサーの働きで、(31)再処理水中ポンプが作動して、再処理水は、(33)再処理水水中ポンプ電動仕切り弁装置を開き、再び(17)スクリュー官にすすぎ水の(32)排水再処理水が、連続して流れると同時に(7)洗濯槽排水電動仕切り弁は、(3)洗濯槽側に付いてる水位センサー反応たびに、(7)洗濯槽排水電動仕切り弁を開いて(40)排水処理電動仕切り弁を開いて再び(26)の第一排水処理タンクに洗濯すすぎ水を注ぐ。
従って、再び(28)排水処理タンク水位センサーの反応位置まですすぎ水が溜まると、再び
(23)真空装置が電気システム作動して(26)第一排水処理タンクの空気をすべて再び抜き去る事で、(26)第一排水処理タンクのすすぎ水は、(23)真空装置作動の気化酸素と気化水素の融合体を再び作り(25)の第二処理タンク給水電動仕切り弁を再び開いて(26)再生処理水タンクの(32)排水再生処理水の中に(26)第一排水処理タンクの気化酸素及び気化水素の融合体が、再び注がれる。
結論として、(31)再処理水水中ポンプは、連続作動し続けるシステムであって、それについづいして、(3)洗濯槽内の水位センサーは、指定された水量に従って連続して(7)洗濯槽排水電動仕切り弁を開けて、(3)洗濯槽内の水量を一定範囲内に保って、濯がれる洗濯水は、連続して(26)第一排水処理タンクへ連続して、すすぎ洗濯水が、注がれる。
最終結論は、従って(28)排水処理タンク水位センサー反応で、再び(23)真空装置を作動させて、(26)第一排水処理タンクのすすぎ排水を、瞬間的に気化酸素と気化水素の融合体を作って、新技術の(32)再処理水へ気化酸素と気化水素の融合体を注ぐ事で、瞬間に水に変わる。
上記説明の繰り返しが洗濯排水再処理技術の試作実施の最良の形態説明とした全自動最速電気洗濯乾燥機の洗濯とすすぎ説明である。
【００２６】
図2に於いて(1)の全自動最速洗濯機の真空装置による瞬間乾燥技術説明を始める。
(3)洗濯槽内の水が、水位センサー反応で、水がなくなった事を示すと、(7)洗濯槽排水電動仕切り弁が閉じてそれと同時に、(26)第一排水処理タンクの洗濯水を無くすために、この場合は、(7)洗濯槽排水電動仕切り弁が閉じたのと同時に(23)真空装置が、作動して(26)の第一排水処理タンクの空気を全部抜き去って(26)の第一排水処理タンク内の残水を瞬間に気化酸素と気化水素の融合物質を作り出して(25)の第二処理タンク給水電動仕切り弁を開いて、(32)排水再処理水の中に(26)第一排水処理タンクの真空装置気化した気化酸素と気化水素の融合体は、(32)排水再処理水に注がれる。(26)第一処理タンクの水がなくなる合図は、(26)の第一排水処理タンクの一番下に付いてる(41)ラスト水位センサー反応によって (25)第二処理タンク給水電動仕切り弁を閉じて更に(40)の排水処理電動仕切り弁を閉じて(33)再処理水水中ポンプ電動仕切り弁を閉じて、(34)洗濯槽真空装置乾燥処理電動仕切り弁を開けて更に(36)スクリュー洗濯水制御電動仕切り弁を開けて(16)洗濯機水道電動仕切り弁を最後に開けたのと同時に(23)の真空装置を作動させて(3)洗濯槽内の水分を、無くすために、図1の(2)気圧漏れ防止ゴムと図2の(10)蓋側気圧漏れ防止ゴムとの(15)洗濯機蓋を締めて(12)気圧密封レバーと(13)気圧密封レバー止め金装置によって、(3)洗濯槽内に酸素が入らない状態を作って(23)の真空装置を作動させて、(3)洗濯槽内の水分すべてを(3)真空装置によって洗濯物の水分ゼロにして、瞬間真空装置洗濯物瞬間乾燥技術の説明とする。
【００２７】
最後に図3の(19)のモニターパネル説明をする。
まず、最初に(22)の洗濯機始動ダルマボタンを押す。するとモニターパネルランプに光りが、付いて作動スタンバイする。
次に(20)システムモニターチエンジ装置ダルマボタンによって、洗濯スピードと洗濯時間がセット出来る続いて(21)の水量チエンジダルマボタンによって、水量調整セットが出来る。
これらは、電動仕切り弁全てと、レールモーター全てと真空装置及び全ての水中ポンプにつながって入る。そのシステム設定によって、全自動最速電気洗濯乾燥作動が出来る全自動最速電気洗濯装置説明である。  
(コメント)
2008年5月17日AM9時9分17秒自宅美馬牛で書き始める墫野ニャンカンキチであった。  
【符号の説明】
【００２８】
1  全自動最速電気洗濯乾燥機      (最速水処理)
2  洗濯槽内側気圧漏れ防止ゴム    (真空装置使用気圧漏れ防止装置)
3  洗濯槽
4  スクリュー洗濯槽装置         
5  洗濯槽モーター軸      (レールモーター軸)
6  レールモーター        (レールモーター4センチ)
7  洗濯槽水排水電動仕切り弁    (レールモーター装置)
8  洗濯水流変化打たせ柵    
9  排水官
10 洗濯機蓋側ゴム気圧漏れ防止装置  (真空装置使用気圧漏れ防止装置)
11 水道水取り入れ電動仕切り弁官    (モーター電動仕切り弁装置)
12 洗濯機蓋気圧密封レバー装置      (真空装置作動の空気入り防止装置)
13 洗濯槽気圧密封レバー止め金装置  (スプリングレバー気圧密封式)
14 真空装置洗濯機排水再処理貯水タンク          (省エネルギー洗濯排水再処理)
15 洗濯機蓋装置
16 洗濯機水道水電動仕切り弁装置
17 洗濯機スクリュー
18 洗濯機スクリュー放水回転レールモーター装置  (洗濯水導水を止めるモーター弁)
19 洗濯機モニターパネル装置
20 洗濯機モニターシステムパネルチエンジ装置
21 洗濯機水量チエンジダルマボタン              (ダルマ型のスイッチボタン)
22 洗濯機始動ダルマ切り替え切り替えスイッチ
23 真空装置                                    (世界最速の洗濯排水処理装置)
24 洗濯機排水取り入れ官 
25 第二処理タンク給水電動仕切り弁
26 洗濯機第一排水処理タンク                (洗濯排水の汚れゴミと洗剤を取る装置)
27 洗濯機真空装置空気吸引官                (貯蔵洗濯排水タンクのエアータンク)
28 洗濯機第一排水処理タンク水位センサー (真空装置で排水処理気化したのを戻す官)
29 洗濯気化排水取り入れ官
30 洗濯機第一排水処理タンク排水電動仕切り弁 (いらなくなった石鹸水汚れゴミ排出官)
31 洗濯機排水再処理水タンク吸引水中ポンプ   (レールモーターポンプ)
32 洗濯機排水再処理水                       (洗濯排水を投げないで再処理した水)
33 洗濯機再処理水水中ポンプ電動仕切り弁
34 洗濯槽真空乾燥処理の電動仕切り弁
35 第一排水処理タンク水中ポンプ           (レールモーター)
36 スクリュー洗濯水制御電動仕切り弁
37 スクリユー水打たせ羽
38 ダイナモ
39 ダイナモカバー
40 洗濯機排水再処理入り口電動仕切り弁装置
41 ラスト水位センサー
2008年5月17日14時56分53秒洗い物夕食段取り部屋片付け終え再び書く墫野ニャン 
【図１】
2012011211.tif 000003
【図２】
2012011211.tif 000004
【図３】
2012011211.tif 000005
【図４】
2012011211.tif 000006
【図５】
2012011211.tif 000007
【図６】
2012011211.tif 000008
【図７】
2012011211.tif 000009
【図８】
2012011211.tif 000010
【図９】
2012011211.tif 000011
【図１０】
2012011211.tif 000012
【図１１】
2012011211.tif 000013
【図１２】
2012011211.tif 000014
【図１３】
2012011211.tif 000015
【図１４】
2012011211.tif 000016
【図１５】
2012011211.tif 000017
【図１６】
2012011211.tif 000018
【図１７】
2012011211.tif 000019
【図１８】
2012011211.tif 000020
【図１９】
2012011211.tif 000021
【図２０】
2012011211.tif 000022
【図２１】
2012011211.tif 000023
【図２２】
2012011211.tif 000024